(57)【要約】【課題】引出式扉を貯蔵室から引出す構成において、貯蔵室の底板部の前面を覆う仕切カバー部に下方向への大きな力が作用するにしても、仕切カバー部及び底板部にがたつきが生じることを防止する。【解決手段】冷蔵庫の製氷室及び切替室は、底板部１９及び縦仕切部２３で仕切られて形成されている。底板部１９の前面は仕切カバー部２５で覆われており、仕切カバー部２５の段部３１と底板部１９の段部３３とが重ねられた状態で、タッピングネジ３５により下方から縦仕切部２３に共締めされている。引出式扉３７が切替室から引出された状態では、引出式扉３７により仕切カバー部２５に下方への大きな力が作用するものの、仕切カバー部２５及び底板部１９が縦仕切部２３から離れてしまってがたつきが発生してしまうことはない。【選択図】図１
2007132565.tif 000002
【特許請求の範囲】
【請求項１】
冷蔵庫本体内の空間部を上下に分割する底板部と、
この底板部の前面を覆う仕切カバー部と、
この仕切カバー部及び前記底板部の上面に設けられて空間部を横方向に分割する縦仕切部と、
前記底板部と前記縦仕切部とで形成される貯蔵室を開閉する引出式扉と、
この引出式扉を前記貯蔵室から引出し可能に支持する扉支え部とを備え、
前記扉支え部は、前記引出式扉が引出された状態で、前記仕切カバー部の上面に設けられた扉支持部と、前記縦仕切部の側面に設けられたレール部とで支持されるように構成された冷蔵庫において、
前記仕切カバー部と前記底板部とが接触する部位には、前記仕切カバー部の後端部と前記底板部の前端部とが互いに上下に重ねられる重ね部がそれぞれ一体に形成され、
前記仕切カバー部及び前記底板部は、前記重ね部が互いに重ねられた状態で前記縦仕切部の底面に下方からネジにより共締めされていることを特徴とする冷蔵庫。
【発明の詳細な説明】
【技術分野】
【０００１】
本発明は、引出式扉を縦仕切部に設けられたレール部で支持する構成の冷蔵庫に関する。
【背景技術】
【０００２】
冷蔵庫では、貯蔵室として例えば製氷室と設定温度を切替可能な切替室とを縦仕切部で仕切ることにより構成したものが提供されている。これらの貯蔵室では、引出式扉を貯蔵室から引出すことにより、引出式扉に装着された収納容器に収容された氷或いは食品の取出しの容易化を図るようにしている。
【０００３】
このような引出式扉は、この引出式扉に取付けられた扉支え部を貯蔵室の側面に一体に形成されたレール部で支持することにより構成されている。この場合、扉支え部をレール部により支持する構造としては、貯蔵室の底板部の前面を覆う仕切カバー部の上面に扉支持部を設け、その扉支持部により扉支え部の下辺部を支持すると共に、扉支え部の後端に設けられたローラをレール部で支持させることで、貯蔵室から引出された収納容器を支持するようにしている（特許文献１参照）。
【特許文献１】特開２０００−８８４３６号公報
【発明の開示】
【発明が解決しようとする課題】
【０００４】
しかしながら、上述した構成のものでは、引出式扉が完全に引出された状態では、扉支え部に取付けられた収納容器の重量が、ローラを作用点として突出部に下方への力として作用するので、底板部の前面を覆う仕切カバー部には下方への大きな力が作用する。このため、仕切カバー部が縦仕切部から離れようとするので、仕切カバー部及び底板部にがたつきを生じるという欠点がある。
【０００５】
本発明は上記事情に鑑みてなされたもので、その目的は、引出式扉を貯蔵室から引出す構成において、貯蔵室の底板部の前面を覆う仕切カバー部に下方向への大きな力が作用するにしても、仕切カバー部及び底板部にがたつきが生じることを防止できる冷蔵庫を提供することにある。
【課題を解決するための手段】
【０００６】
本発明は、冷蔵庫本体内の空間部を上下に分割する底板部と、この底板部の前面を覆う仕切カバー部と、この仕切カバー部及び前記底板部の上面に設けられて空間部を横方向に分割する縦仕切部と、前記底板部と前記縦仕切部とで形成される貯蔵室を開閉する引出式扉と、この引出式扉を前記貯蔵室から引出し可能に支持する扉支え部とを備え、前記扉支え部は、前記引出式扉が引出された状態で、前記仕切カバー部の上面に設けられた扉支持部と、前記縦仕切部の側面に設けられたレール部とで支持されるように構成された冷蔵庫において、前記仕切カバー部と前記底板部とが接触する部位には、前記仕切カバー部の後端部と前記底板部の前端部とが互いに上下に重ねられる重ね部がそれぞれ一体に形成され、前記仕切カバー部及び前記底板部は、前記重ね部が互いに重ねられた状態で前記縦仕切部の底面に下方からネジにより共締めされているものである。
【発明の効果】
【０００７】
本発明によれば、引出式扉が引出された状態では、引出式扉に取付けられた扉支え部の下辺部を支持する扉支持部ひいてはこの扉支持部が設けられている仕切カバー部に下方への大きな力が作用するものの、仕切カバー部の重ね部と底板部の重ね部とはネジにより縦仕切部の底面に共締めされているので、仕切カバー部及び底板部が縦仕切部から離れてしまうことはなく、がたつきを防止することができる。
【発明を実施するための最良の形態】
【０００８】
以下、本発明の一実施例について図面を参照して説明する。図３は冷蔵室扉を開放した状態で示す冷蔵庫の正面図、図４は冷蔵庫の縦断側面を模式的に示す図である。これらの図３及び図４において、冷蔵庫１のキャビネットをなす冷蔵庫本体２は前面が開口する矩形箱状をなすものであり、外箱内に内箱を配設し、それらの間に発泡ウレタン等の断熱材を充填することにより形成されている。
【０００９】
冷蔵庫本体２内には断熱仕切部により仕切られた複数の貯蔵室として、冷蔵庫本体２の上部から、冷蔵室３、横方向に隣接した製氷室４及び切替室５（図４では切替室５のみ図示）、野菜室６、冷凍室７が順に形成されている。この場合、冷蔵室３及び野菜室６により冷蔵区画が形成され、製氷室４及び切替室５並びに冷凍室７により冷凍区画が形成されており、冷蔵庫本体２の上部から、冷蔵区画、冷凍区画、冷蔵区画、冷凍区画が交互に位置する配置関係となっている。
【００１０】
図４に示すように野菜室６の背面には、冷却器カバー８で隔てられた冷蔵用蒸発器室（以下、Ｒエバ室）９が形成されている。このＲエバ室９の背面には、断熱仕切部１０で隔てられた冷凍用蒸発器室（以下、Ｆエバ室）１１が形成されている。
Ｒエバ室９には冷蔵用蒸発器１２が配置され、Ｆエバ室１１には冷凍用蒸発器１３が配置されている。Ｒエバ室９の上部は、冷蔵室３の背面に形成された送風ダクト１４を通じて冷蔵室３に連結され、下部は野菜室６と連結されている。Ｒエバ室９の上部には冷蔵用ファン１５が配置されており、その送風状態で、Ｒエバ室９で生成された冷気が冷蔵区画である冷蔵室３及び野菜室６を循環する循環経路が形成される。
【００１１】
Ｆエバ室１１の上部は製氷室４及び切替室５に連結され、下部は冷凍室７と連結されている。Ｆエバ室１１の上部には冷凍用ファン１６が配置されており、その送風状態で、Ｆエバ室１１で生成された冷気が冷凍区画である製氷室４及び切替室５並びに冷凍室７を循環する循環経路が形成される。
【００１２】
冷蔵庫本体２の下端部奥方には機械室１７が形成されており、機械室１７内には冷凍サイクルを構成するコンプレッサ１８が配設されている。
図５は、引出式扉を取外した状態で示す製氷室及び切替室の斜視図、図６は、図５に示す状態の分解斜視図である。これらの図５及び図６において、底板部１９は、樹脂ケース内に発泡スチロール製断熱材を内蔵して形成されている。底板部１９の両側には立上部２０が一体に形成されており、その立上部２０の内側にレール部２１が一体に形成されていると共に外面に補強用のリブ２２が形成されている。縦仕切部２３は、樹脂ケース内に発泡スチロール製断熱材を内蔵して形成されており、両側面にレール部２４が一体に形成されている。底板部１９に縦仕切部２３が取付けられた状態では、立上部２０に形成されたレール部２１と縦仕切部２３に形成されたレール部２４とが対向する。
冷蔵庫本体２の前面には仕切カバー部２５が固定されており、底板部１９が冷蔵庫本体２の取付けられた状態では、底板部１９の前面が仕切カバー部２５で覆われるようになっている。
【００１３】
図１は、仕切カバー部２５及び底板部１９並びに縦仕切部２３の縦断面図である。この図１において、縦仕切部２３の前面には化粧板２６がネジ止めされている。縦仕切部２３の上面及び後面には複数の凹部２７が形成されており、その凹部２７の上面に位置する冷蔵室３との間を仕切る断熱仕切部２８及び背面に位置する断熱壁部２９に形成された凸部３０が嵌合することにより当該縦仕切部２３の位置決めが図られている。
【００１４】
ここで、仕切カバー部２５及び底板部１９は縦仕切部２３の底面にネジにより共締めされており、その構造について説明する。
図２は、仕切カバー部２５及び底板部１９のネジ止め構造を拡大して示す縦断側面図である。この図２において、仕切カバー部２５の後端下半部には後方に延設した段部（重ね部に相当）３１が一体に形成されており、その段部３１に孔部３２ａを有したネジ取付部３２が一体に形成されている。底板部１９の前端上半部には前方に延設した段部（重ね部に相当）３３が一体に形成されており、その段部３３に孔部３４ａを有したネジ取付部３４が形成されている。仕切カバー部２５の段部３１と底板部１９の段部３３とは上下に重ねられており、その段部３１，３３が重ねられた状態でタッピングネジ３５が孔部３２ａ，３４ａを貫通して縦仕切部２３の底面に形成されたボス３６に螺着されている。つまり、仕切カバー部２５及び底板部１９は、タッピングネジ３５により縦仕切部２３に共締めされているのである。
【００１５】
図７は、切替室５の引出式扉の斜視図である。尚、製氷室４も同一構成であるので、その説明を省略する。図７において、引出式扉３７の背面には扉支え部３８が一対取付けられている。この扉支え部３８は、図８に示すように取付部３９に腕部４０が一体形成されたＬ字形状をなしており、両方の扉支え部３８の後部が連結部４１で連結されることにより矩形枠形状を形成して貯蔵容器４２（図４参照）が装着可能となっている。連結部４１の両側にはローラ４３が支持されている。
【００１６】
扉支え部３８を示す図９において、扉支え部３８は金型成型により形成されている。取付部３９及び腕部４０の所定部位にはビードが形成されており、そのビードにより取付部３９及び腕部４０の強度が高められている。具体的には、取付部３９には上下に位置してネジ孔４４が形成されており、それらのネジ孔４４間を通過するようにビード４５が斜め方向に形成されている。このビード４５の端部は、腕部４０に形成されたビード４６の端部と連結している。
【００１７】
図７に戻って、扉支え部３８に設けられたローラ４３は、底板部１９及び縦仕切部２３に形成されたレール部２４の下面に当接している。また、仕切カバー部２５の上面には扉支持部４７が設けられており、その扉支持部４７が扉支え部３８の下辺部を支持している。このような構成により、引出式扉３７は、扉支持部４７を支点とする下方への力をローラ４３が上方のレール部２４に当接することで受けるようになっている。
尚、扉支持部４７の下辺部にはストッパ４８が設けられており、そのストッパ４８が扉支持部４７に当接することによりそれ以上の引出式扉３７の引出しが規制されるようになっている。
【００１８】
さて、図７に示すように引出式扉３７が切替室５から完全に引出された状態では、仕切カバー部２５に設けられた扉支持部４７ひいては当該扉支持部４７が設けられた仕切カバー部２５には、収納容器４２に収納された食品の重量により下方への大きな力が作用するようになる。
【００１９】
しかしながら、本実施例では、仕切カバー部２５は、底板部１９と共に縦仕切部２３の底面に下方からタッピングネジ３５により共締めされているので、仕切カバー部２５に下方への大きな力が作用するにしても、仕切カバー部２５及び底板部１９が縦仕切部２３から離れてしまうことはない。
【００２０】
このような実施例によれば、仕切カバー部２５と底板部１９とを縦仕切部２３の底面に下方からタッピングネジ３５により共締めするようにしたので、仕切カバー部２５と底板部１９とが嵌合しているだけの構成のものと違って、仕切カバー部２５の上面に設けられた扉支持部４７に、切替室５から引出された引出式扉３７により下方への大きな力が作用するにしても、仕切カバー部２５及び底板部１９が縦仕切部２３から離れてしまうことはなく、がたつきが発生してしまうことを確実に防止することができる。
【００２１】
しかも、扉支え部３８の取付部３９にビード４５を形成する際に、そのビード４５を斜めに形成するようにしたので、扉支え部３８に下方への大きな力が作用して取付部３９が変形しようとするにしても、その変形が防止される。従って、引出式扉３７の品質を高めることができる。
【００２２】
本発明は、上記実施例に限定されることなく、次のように変形または拡張できる。
仕切カバー部２５の段部３１が底板部１９の段部３３の上側となるように重ねるように構成してもよい。
製氷室４と切替室５を形成する底板部１９及び縦仕切部２３以外の貯蔵室を形成する仕切部に本発明を適用するようにしてもよい。
【図面の簡単な説明】
【００２３】
【図１】本発明の一実施例における仕切カバー部及び底板部並びに縦仕切部を示す縦断側面図
【図２】仕切カバー部及び底板部の共締め構造を拡大して示す縦断側面図
【図３】冷蔵室の扉を開放して示す冷蔵庫の正面図
【図４】模式的に示す冷蔵庫の縦断側面図
【図５】引出式扉を取外して示す製氷室及び切替室を示す斜視図
【図６】底板部及び縦仕切部を取外して示す図５相当図
【図７】引出式扉を引出した状態で示す切替室の縦断側面図
【図８】引出式扉の斜視図
【図９】扉支え部の斜視図
【符号の説明】
【００２４】
図面中、１は冷蔵庫、４は製氷室（貯蔵室）、５は切替室（貯蔵室）、１９は底板部、２３は縦仕切部、２４はレール部、２５は仕切カバー部、３１は段部（重ね部）、３３は段部（重ね部）、３５はタッピングネジ、３６はボス、３７は引出式扉、３８は扉支え部、４７は扉支持部である。
【図１】
2007132565.tif 000003
【図２】
2007132565.tif 000004
【図３】
2007132565.tif 000005
【図４】
2007132565.tif 000006
【図５】
2007132565.tif 000007
【図６】
2007132565.tif 000008
【図７】
2007132565.tif 000009
【図８】
2007132565.tif 000010
【図９】
2007132565.tif 000011